(57)【要約】  サブサンプリング装置（１００）は、試料格納容器（１０）の収容空間（１１）と連通する貫通孔（１１４）を有し、貫通孔（１１４）に連通する少なくとも１個の第１の管路（１１２）が形成され、試料格納容器（１０）の後方端面に連結されるフランジ部材（１１０）と、フランジ部材（１１０）の貫通孔（１１４）と連通する空洞を有し、一端がフランジ部材（１１０）の貫通孔（１１４）に連結される連結部材（１２０）と、前方端は連結部材（１２０）の他端に接続され、前方端近傍にボールバルブ（１３４）を備え、後方端近傍に内部空間（１３５）と連通する少なくとも１個の第２の管路（１３２）が形成された円筒ケーシング（１３０）と、内部空間（１３５）を前方空間（１３６）と後方空間（１３８）とに隔てるバルクヘッド（１４２）が介装され、前方端に採取刃が形成された、円筒ケーシング（１３０）の内部空間（１３５）内を摺動するサンプリングパイプ（１４０）と、フランジ部材（１１０）と取り替え可能な、連結部材（１２０）の一端に接続される試料容器とを備え、サンプリングパイプ（１４０）が摺動することで、採取刃が試料格納容器（１０）の内部の試料（２０）に接触して、試料（２０）を先端部に保持するようにサブサンプリングし、その後フランジ部材（１１０）と取り替えて装着された試料容器内に、サブサンプリングされた試料（２０）を格納させる。
2015087767.tif 000002
【特許請求の範囲】
【請求項１】
試料格納容器の収容空間と連通する貫通孔を有し、該貫通孔に連通する少なくとも１個の第１の圧力調整経路が形成され、前記試料格納容器の後方端面に連結されるフランジ部材と、
該フランジ部材の前記貫通孔と連通する空洞を有し、一端が前記フランジ部材の前記貫通孔に連結される連結部材と、
前方端は前記連結部材の他端に接続され、前方端近傍にボールバルブを備え、後方端近傍に内部空間と連通する少なくとも１個の第２の圧力調整経路が形成された円筒ケーシングと、
前記内部空間を前方空間と後方空間とに隔てる隔壁が介装され、前方端に採取刃が形成された、前記円筒ケーシングの前記内部空間内を摺動するサンプリングパイプと、
前記フランジ部材と取り替え可能な、前記連結部材の一端に接続される試料容器と
を備え、
前記サンプリングパイプが摺動することで、前記採取刃が前記試料格納容器の内部の試料に接触して、前記試料を先端部に保持するようにサブサンプリングし、その後前記フランジ部材と取り替えて装着された前記試料容器内に、サブサンプリングされた前記試料を格納させる、
ことを特徴とするサブサンプリング装置。
【請求項２】
前記サンプリングパイプは、前記前方空間と前記後方空間との圧力差によって摺動する、
ことを特徴とする請求項１に記載のサブサンプリング装置。
【請求項３】
前記連結部材は、前記空洞に連通する少なくとも１個の第３の圧力調整経路を備える、
ことを特徴とする請求項１又は２に記載のサブサンプリング装置。
【請求項４】
前記第２の圧力調整経路は、外部の圧力調整機構に接続され、該圧力調整機構により前記前方空間と前記後方空間との圧力差を生じさせる、
ことを特徴とする請求項１乃至３のいずれか１項に記載のサブサンプリング装置。
【請求項５】
前記サンプリングパイプの前方端から突出し、前記試料を前記試料容器に収容させる押出し部材をさらに備える、
ことを特徴とする請求項１乃至４のいずれか１項に記載のサブサンプリング装置。
【請求項６】
前記試料容器内に前記試料が収容された後に、前記試料容器の開放端が密栓される請求項１乃至５のいずれか１項に記載のサブサンプリング装置。
【請求項７】
前記サンプリングパイプに代えて、栓及び栓ロッド部材を備える、
ことを特徴とする請求項６に記載のサブサンプリング装置。
【請求項８】
サンプリングパイプの前方空間と後方空間との圧力差により、前記サンプリングパイプを軸線方向に沿って摺動させ、前記サンプリングパイプの採取刃を試料格納容器内の試料に接触させ、試料採取を行う工程と、
前記試料格納容器とフランジ部材とを装置本体から取り外し、連結部材に試料容器を取り付ける工程と、
前記試料容器内に、前記サンプリングパイプの先端に保持された採取試料を収容させる工程と、
前記試料が収容された前記試料容器の開放端を密栓する工程と、
を含む試料のサブサンプリング方法。
【発明の詳細な説明】
【技術分野】
【０００１】
本発明は、サブサンプリング装置及び方法に関する。
【背景技術】
【０００２】
ガスハイドレートは、水分子により形成されたかご状構造内にガス分子が包蔵された低温高圧条件下で安定な固体結晶である。【０００３】
ガスハイドレートは、体積１ｍ３当り約１７０ｍ３のガス分子を包蔵することができるため、天然ガスの輸送及び貯蔵媒体としても研究開発が行われている（特許文献１−３、非特許文献１）。【０００４】
近年、メタン分子を主成分とするガスハイドレート（以下、天然ガスハイドレートとする）が永久凍土や海底の堆積層中に賦存していることが確認されている（非特許文献１）。また、日本近海の堆積物中にも多く賦存していることが確認されており、石油や石炭に変わる非在来型エネルギー資源としての開発が進められている。【０００５】
天然ガスハイドレートの調査方法としては、地震のような震動（音波）を発生させ堆積層からの反射速度を調べる地震探査法と呼ばれる方法があり、その方法によって自然界に存在する天然ガスハイドレートの分布状況が調べられている。【０００６】
また、堆積層を掘削し、各種センサーを用いて資源量やガスの生産性評価に必要な物性を検査することも行われている。さらに目的の堆積層を採取した天然ガスハイドレートの堆積物サンプルの物性を調べることによって、資源量やガスの生産性を高精度に評価することが可能となっている。【０００７】
このような堆積物サンプルを採取する方法について、いくつか報告がなされている。【０００８】
特許文献４には、地層内の条件を維持したまま、堆積物中の間隙水や、間隙水に含まれる微生物などのサンプリングを行う手法が記載されている。【０００９】
ところで、ガスハイドレートは低温高圧条件で安定に存在するが、温度の上昇や圧力の低下によってガスハイドレートの相安定温度圧力領域から外れた温度圧力条件となると、ハイドレートが分解してしまう。そこで、ガスハイドレートを含む堆積物サンプルに対して、ガスハイドレートを分解させないようにして採取や分析を行う方法が、いくつか報告されている。【００１０】
非特許文献２には、温度及び圧力を維持したまま回収された堆積物サンプルに対して、その堆積物中に含まれるハイドレートの飽和率計測、熱伝導率計測、力学応答性計測を行ったり、堆積物の間隙水を採取する方法が記載されている。この方法では、コアリングされたライナーで保護されている堆積物試料を対象として、ライナーに穴を開けるなどしてから分析機器を試料に接触させて圧力容器中で分析を行うものである（一般的に、コアリング時に堆積物にショックを与えないように、採取された堆積物をプラスチック製のライナーで覆って保護する）。本方法では、サンプル回収後、圧力を維持したまま堆積物内のガスハイドレートを分解させることなく、圧力容器中で堆積物の物性を評価することが可能である。【００１１】
また、非特許文献３には、温度及び圧力を維持したまま回収された堆積物サンプルを採取して、分析用の小片試料を作製する方法が記載されている。この方法では、ガスハイドレート堆積物試料を軸方向に円柱形に押し抜いた後、ボールバルブを用いて所望の長さにカットした後、別の圧力容器に保管する。【００１２】
また、堆積層を構成する砂と砂以外の体積の比率（以下、孔隙率とする）は、ガス及び水の浸透性に強く関係し、堆積物の孔隙率を計測する方法としては、堆積物を一度乾燥させ、その乾燥させた堆積物の体積や重量を計測する方法（以下、乾燥法という）が一般的である。しかしながら、ガスハイドレートを含む堆積層は未固結の砂によって形成されているため、ガスハイドレートを分解させ乾燥させた試料を用いる乾燥法では、ハイドレートの分解によって砂が移動して、砂粒子の配置が地層内に存在した状態と比べて変わってしまい、また、ガスハイドレートが孔隙の中に多く存在する試料ほど、発生する分解ガスにより砂の位置が変わることで体積が変化してしまうという問題が存在していた。また、乾燥法以外にもＸ線コンピュータ断層撮影法やシンクロトロンコンピュータ断層撮影法を用いて堆積物内部の孔隙を可視化し孔隙率を算出する方法（以下、ＣＴ法という）がある。しかしながら、従来のＣＴ法では、ガスハイドレートを含む堆積物を一度大気解放させてガスハイドレートを分解させるため、砂の配置が変化してしまうという問題点を有していた。このように、乾燥法や従来のＣＴ法では、ガス生産性を精度良く評価するのは極めて困難であった。【００１３】
そこで、乾燥法や従来のＣＴ法によらずに孔隙率を測定する方法が報告されている。非特許文献４には、圧力が維持されたガスハイドレート堆積物を大気解放させた後、素早く液体窒素を用いてガスハイドレート堆積物を凍結させて、その凍結試料のＸ線ＣＴ画像撮影を行うことで、非破壊的に孔隙率を計測することが記載されている。
【先行技術文献】
【特許文献】
【００１４】
【特許文献１】特開２０１２−４６６９６号公報
【特許文献２】特開２００７−２６２２７１号公報
【特許文献３】特開２００５−２９８７４５号公報
【特許文献４】特開２００８−４６０８３号公報
【非特許文献】
【００１５】
【非特許文献１】Ｓｌｏａｎ，Ｅ．Ｄ．ａｎｄ  Ｋｏｈ，Ｃ．Ａ．：Ｃｌａｔｈｒａｔｅ  Ｈｙｄｒａｔｅｓ  ｏｆ  Ｎａｔｕｒａｌ  Ｇａｓｅｓ．Ｔｈｉｒｄ  Ｅｄｉｔｉｏｎ，（２００７）
【非特許文献２】Ｓａｎｔａｍａｒｉｎａ，Ｊ．Ｃ．，Ｄａｉ，Ｓ．，Ｊａｎｇ，Ｊ．，ａｎｄ  Ｔｅｒｚａｒｉｏｌ，Ｍ．Ｓｃｉｅｎｔｉｆｉｃ  Ｄｒｉｌｌｉｎｇ，Ｎｏ．１４，Ｓｅｐｔｅｍｂｅｒ  ２０１２，４４−４８
【非特許文献３】Ｓｃｈｕｌｔｈｅｉｓｓ，Ｐ．，Ｈｏｌｌａｎｄ，Ｍ．，Ｈｕｍｐｈｒｅｙ，Ｇ．Ｓｃｉｅｎｔｉｆｉｃ  Ｄｒｉｌｌｉｎｇ，７，４４−５０，２００９．
【非特許文献４】Ｊｉｎ，Ｙ．，Ｈａｙａｓｈｉ，Ｊ．，Ｎａｇａｏ，Ｊ．，Ｓｕｚｕｋｉ，Ｋ．，Ｍｉｎａｇａｗａ，Ｈ．，Ｅｂｉｎｕｍａ，Ｔ．，ａｎｄ  Ｎａｒｉｔａ  Ｈ．Ｊａｐａｎｅｓｅ  Ｊｏｕｒｎａｌ  ｏｆ  Ａｐｐｌｉｅｄ  Ｐｈｙｓｉｃｓ  Ｐａｒｔ  １，ｖｏｌ．４６（５Ａ），ｐｐ．３１５９−３１６２，２００７．５
【発明の概要】
【発明が解決しようとする課題】
【００１６】
しかしながら、特許文献４に記載の方法は、圧力を維持しながらサンプリングするものではなく、また、特許文献４に記載の方法を用いてガスハイドレート堆積物をサンプリングする場合には、ガスハイドレート堆積物を一度大気解放し凍結させる必要があるため、ガスハイドレートが分解してしまうという問題点を有していた。【００１７】
また、非特許文献２に記載の方法では、直径５ｃｍほどの円柱状の試料を用いて分析を行うため、堆積物中のマイクロオーダーの微細な砂粒子の間隙に存在するガスハイドレートの状態を評価するのは困難であった。【００１８】
また、非特許文献３に記載の方法では、圧力を維持しながら試料をサブサンプリングできるものの、柔らかい泥質堆積層を押し出して採取する手法であるため、固い砂質堆積層のサンプルに用いるのは困難であった。また、サブサンプリングされた試料を圧力容器に密閉する工程において、巨大で重たいボールバルブを用いるため、実際の分析の現場での使用においては課題を残していた。また、ボールバルブによって試料を切断するため、試料に機械的衝撃が加わることによる物性変化が懸念されていた。【００１９】
また、非特許文献４に記載の方法では、液体窒素で試料を凍結させるため、間隙水の凍結によって孔隙が膨張し、砂粒子の配置が地層内に存在していた状態から変わってしまうという問題点を有していた。また、ガスハイドレート含有量が少ないほど、凍結による水の膨張の影響を大きく受ける（ガスハイドレート含有量が少ないほど間隙水が多くなるからである）という問題点も有していた。また、大気解放した際にガスハイドレートが分解してしまうが、分解に伴う水の発生により間隙水量が変化してしまうだけでなく、どのくらいガスハイドレートが分解してしまったか計測できないため、水の膨張を考慮した孔隙率の補正を行うこともできないという点で課題を残していた。【００２０】
本発明は、上記事情に鑑みてなされたものであり、所定の圧力を維持しながら試料をサブサンプリングする装置及び方法を提供することを目的とする。
【課題を解決するための手段】
【００２１】
上記目的を達成するため、本発明の第１の観点に係るサブサンプリング装置は、
試料格納容器の収容空間と連通する貫通孔を有し、該貫通孔に連通する少なくとも１個の第１の圧力調整経路が形成され、前記試料格納容器の後方端面に連結されるフランジ部材と、
該フランジ部材の前記貫通孔と連通する空洞を有し、一端が前記フランジ部材の前記貫通孔に連結される連結部材と、
前方端は前記連結部材の他端に接続され、前方端近傍にボールバルブを備え、後方端近傍に内部空間と連通する少なくとも１個の第２の圧力調整経路が形成された円筒ケーシングと、
前記内部空間を前方空間と後方空間とに隔てる隔壁が介装され、前方端に採取刃が形成された、前記円筒ケーシングの前記内部空間内を摺動するサンプリングパイプと、
前記フランジ部材と取り替え可能な、前記連結部材の一端に接続される試料容器と
を備え、
前記サンプリングパイプが摺動することで、前記採取刃が前記試料格納容器の内部の試料に接触して、前記試料を先端部に保持するようにサブサンプリングし、その後前記フランジ部材と取り替えて装着された前記試料容器内に、サブサンプリングされた前記試料を格納させる、
ことを特徴とする。【００２２】
前記サンプリングパイプは、例えば、前記前方空間と前記後方空間との圧力差によって摺動する。【００２３】
前記連結部材は、例えば、前記空洞に連通する少なくとも１個の第３の圧力調整経路を備える。【００２４】
前記第２の圧力調整経路は、例えば、外部の圧力調整機構に接続され、該圧力調整機構により前記前方空間と前記後方空間との圧力差を生じさせる。【００２５】
例えば、前記サンプリングパイプの前方端から突出し、前記試料を前記試料容器に収容させる押出し部材をさらに備える。【００２６】
例えば、前記試料容器内に試料が収容された後に、前記試料容器の開放端が密栓される。【００２７】
例えば、前記サンプリングパイプに代えて、栓及び栓ロッド部材を備える。【００２８】
本発明の第２の観点に係る試料のサブサンプリング方法は、
サンプリングパイプの前方空間と後方空間との圧力差により、前記サンプリングパイプを軸線方向に沿って摺動させ、前記サンプリングパイプの採取刃を試料格納容器内の試料に接触させ、試料採取を行う工程と、
前記試料格納容器と前記フランジ部材とを装置本体から取り外し、連結部材に試料容器を取り付ける工程と、
前記試料容器内に、前記サンプリングパイプの先端に保持された採取試料を収容させる工程と、
前記試料が収容された前記試料容器の開放端を密栓する工程と、
を含む。
【発明の効果】
【００２９】
本発明によれば、所定の圧力を維持しながら試料をサブサンプリングする装置及び方法を提供することができる。
【図面の簡単な説明】
【００３０】
【図１】本発明の実施形態に係るサブサンプリング装置の全体及び内部構成を模式的に表す部分断面図であって、（ａ）はサンプリングパイプの先端がボールバルブの後方にある状態、（ｂ）はサンプリングパイプの先端が試料に到達した状態を示す部分断面図である。
【図２】連結部材を模式的に表す斜視図である。
【図３】サンプリングパイプの先端部分を模式的に表す斜視図であって、（ａ）は採取刃が突出した状態を表し、（ｂ）は押し出し部材がさらに突出した状態を表す斜視図である。
【図４】（ａ）は試料容器を模式的に表す斜視図、（ｂ）は連結部材と試料容器との連結状態を模式的に表す斜視図である。
【図５】（ａ）は栓の全体を模式的に表す斜視図、（ｂ）は栓の前面を模式的に表す端面図である。
【図６】（ａ）は容器に連結した連結部材に栓をねじ込む前の状態を、（ｂ）は連結部材に栓を最後までねじ込んで接続した状態を表す斜視図である。
【図７】（ａ）〜（ｆ）はボールバルブ、サンプリングパイプ又は栓ロッド部材の動作による試料サブサンプリングの各状態を表す動作状態図である。
【図８】（ａ）は本発明の実施例においてサブサンプリングしたガスハイドレート堆積物試料のＸ線ＣＴ画像の図であり、（ｂ）は（ａ）の黒枠内を拡大した図であり、（ｃ）は（ｂ）を輝度の違いで色分けした図である。
【発明を実施するための形態】
【００３１】
以下、本発明の実施形態について詳細に説明する。
【００３２】
図１は、本発明の実施形態に係るサブサンプリング装置１００の全体及び内部構造を模式的に示した部分断面図である。以下、同図を参照してサブサンプリング装置の構成について説明する。
【００３３】
なお、本明細書において、「サブサンプリング」とは、堆積層などから採取（サンプリング）された試料を用いて、この試料からさらに少量の試料を採取することで分析用の小片試料を作製することをいう。
【００３４】
図１に示すように、本発明の実施形態に係るサブサンプリング装置１００は、公知の試料格納容器１０の端面に連結されるフランジ部材１１０と、フランジ部材１１０の後方端面に円筒ケーシング１３０を接続するための連結部材１２０と、円筒ケーシング１３０と、円筒ケーシング１３０内に摺動可能に収容され、サブサンプリングを行うサンプリングパイプ１４０と、を備える。
【００３５】
本明細書において、サブサンプリング装置１００の前後の向きは、図１で示される通りである。
【００３６】
フランジ部材１１０は、公知のＧＥＯＴＥＫ社製の試料格納容器１０と同径の厚円板状形状をなし、図１に示すように、試料格納容器１０の後端面にボルト（図示せず）により連結されている。試料格納容器１０は、内部に形成された収容空間１１内の前端側に、堆積層から採取されたガスハイドレートを含む堆積物の試料２０を格納することができる容器である。また、収容空間１１の後端側に設けられたボールバルブ１４を開閉することにより、試料格納容器１０の内部の圧力を開放、保持することができる。
【００３７】
フランジ部材１１０の円形中心には試料格納容器１０の内部に連通可能な貫通孔１１４が形成されている。貫通孔１１４の内周面には、後述する連結部材１２０の前方雄ねじ１２０ａと螺合する雌ねじ（図示せず）が形成されている。また、フランジ部材１１０は、貫通孔１１４の軸線に直交するように形成され、貫通孔１１４と連通する、２つの第１の管路（第１の圧力調整経路）１１２を備える。第１の管路１１２には、後述するように、シリンジポンプ（圧力調整機構）が接続される。
【００３８】
連結部材１２０は、図２に示すように、円筒状の形状をなし、中央フランジ１２０ｅを挟んだ前方には、フランジ部材１１０の貫通孔１１４の雌ねじ（図示せず）と螺合する前方雄ねじ部１２０ａが形成され、後方には、後述する円筒ケーシング１３０の前方端の内側に形成された雌ねじ（図示せず）と螺合する後方雄ねじ部１２０ｂが形成されている。また、連結部材１２０の内部には、フランジ部材１１０の貫通孔１１４に連通する空洞１２０ｃが形成されている。連結部材１２０の一端（前方側）は、前方雄ねじ部１２０ａがフランジ部材１１０の貫通孔１１４の雌ねじ（図示せず）に螺合することで、フランジ部材１１０の貫通孔１１４に連結している。また、連結部材１２０の中央フランジ１２０ｅには、空洞１２０ｃに連通する２本の第３の管（第３の圧力調整経路）１２２が連接されている。
【００３９】
円筒ケーシング１３０は、内部に内部空間１３５を有し、図１に示すように、その前方端が連結部材１２０の後端面に接続されている。円筒ケーシング１３０の前方端の雌ねじ（図示せず）が連結部材１２０の後方雄ねじ部１２０ｂと螺合することで、円筒ケーシング１３０が連結部材１２０に連結される。円筒ケーシング１３０の前方端近傍には、ボールバルブ１３４が備えられ、円筒ケーシング１３０の後方端近傍には、内部空間１３５と連通する、２つの第２の管路（第２の圧力調整経路）１３２が形成されている。第２の管路１３２には、後述するように、シリンジポンプ（圧力調整機構）からの供給管が接続される。
【００４０】
サンプリングパイプ１４０は、図１に示すように、細長い円管部材で、円筒ケーシング１３０の内部空間１３５内を摺動することができる。サンプリングパイプ１４０の前方端には採取刃１４４が設けられている（図３（ａ））。この採取刃１４４を用いて試料２０をサブサンプリングする（図１（ｂ））。採取刃１４４はサンプリングパイプ１４０の先端管壁を鋸歯にして形成されている（図３（ａ））。この採取刃１４４を用いてサンプリングパイプ１４０の先端部分に採取した試料２０を収容することができる。また、サンプリングパイプ１４０は、図１に示すように、円筒ケーシング１３０の内部空間１３５を前方空間１３６と後方空間１３８とに隔てるための円板状のバルクヘッド（隔壁）１４２を備える。バルクヘッド１４２の内周面には、円筒ケーシング１３０の内側での滑りを良くするために、Ｏ−リング（図示せず）が取りつけられている。バルクヘッド１４２は、後述するように、前方空間１３６と後方空間１３８との間の圧力差を作り出すために備えられる。また、バルクヘッド１４２は、サンプリングパイプ１４０を動かさないときには、円筒ケーシング１３０の内側に当接しており、サンプリングパイプ１４０を前後に動かすと、円筒ケーシング１３０の内側にて前後に摺動することができる。また、サンプリングパイプ１４０の後方端には、サンプリングパイプ１４０を前後方向に往復動させるためのハンドル１４６が取りつけられている（図１）。
【００４１】
サンプリングパイプ１４０の前方端には、図３（ｂ）に示すように、採取刃１４４によって採取され、サンプリングパイプ１４０の先端に収容された試料２０を試料容器１５０（後述）内に押し出すための、押出し部材１４８を備えている。押出し部材１４８は、円板状をなし、サンプリングパイプ１４０の内部にて軸部材１４７（図３（ｂ））を介して、サンプリングパイプ１４０の後方端に取りつけられた押出しハンドル１４９（図１）に接続されている。押出しハンドル１４９を前方に押すと、押出し部材１４８が前方に動き、採取刃１４４の内部に収容された試料２０を試料容器１５０（後述）内に押し出すことができる。
【００４２】
ここで、サブサンプリングした試料２０を、試料格納容器１０から移し替える動作について、図４〜図７を参照して説明する。サブサンプリングした試料２０を、試料格納容器１０から移し替えるために、新たに試料容器１５０（図４（ａ））と、栓１６０（図５（ａ））と、栓ロッド部材１７０（図７（ｅ））とを用いる。
【００４３】
試料容器１５０は、試料格納容器１０から移し替えた試料２０を保管し分析するための容器である。本実施形態に係る試料容器１５０は、Ｘ線ＣＴによる分析に用いるために、Ｘ線強度及び耐圧性を考慮し、材質がジュラルミンＡＡ２０２４であり、厚さが１．５ｍｍである。図４（ａ）に示すように、試料容器１５０の前方側は、円筒状の保管部１５０ａであり、後方側は、保管部１５０ａよりも径が大きい連結部１５０ｂからなる。連結部１５０ｂの内側には雌ねじ１５０ｃが形成されており、連結部材１２０の前方雄ねじ部１２０ａと螺合させることで、連結部材１２０に試料容器１５０を連結させる（図４（ｂ））。
【００４４】
栓１６０は、試料格納容器１０から移し替えた試料２０を、試料容器１５０内に密閉するためのものである。図５（ａ）に示すように、栓１６０は、円柱状の栓本体１６０ａと栓本体１６０ａよりも径が大きいロッド連結部１６０ｃとからなる。ロッド連結部１６０ｃの外周面の雄ねじ１６０ｂが連結部材１２０の雌ねじ１２０ｄに螺合することで（図６（ａ））、栓１６０が連結部材１２０に連結され、試料２０が入った試料容器１５０を密閉することができる。
【００４５】
また、栓１６０は、栓本体１６０ａとロッド連結部１６０ｃとの間に形成された側面細孔１６０ｄ（図５（ａ）と栓本体１６０ａの前面の略中央部に形成された前面細孔１６０ｅ（図５（ａ）、（ｂ））とを有する。側面細孔１６０ｄと前面細孔１６０ｅとは、栓本体１６０ａ内部において連通し（図５（ａ）、図７（ｆ））、後述するように、試料２０を試料容器１５０内にて圧力を保持したまま保存できるようにするためのものである。また、ロッド連結部１６０ｃの後面には、六角孔１６０ｆが形成されている（図５（ａ））。六角孔１６０ｆに、後述する栓ロッド部材１７０の前方端を差し込むことで、栓１６０を時計回りに回して連結部材１２０に連結させることができる。
【００４６】
栓ロッド部材１７０（図７（ｅ））は、栓１６０を連結部材１２０に連結させるための部材である。栓ロッド部材１７０は、サンプリングパイプ１４０と同様に、円筒ケーシング１３０の内部に挿入して用いられる。栓ロッド部材１７０の先端部分は六角形状をなし（図示せず）、栓１６０の後端面の六角孔１６０ｆに差し込んで栓１６０を回転させて連結部材１２０に固定することができる。栓ロッド部材１７０には、前方空間１３６と後方空間１３８との間の圧力差を作り出すための、サンプリングパイプ１４０のバルクヘッド１４２と同様のバルクヘッド（図示せず）が形成されている。
【００４７】
本実施形態に係るサブサンプリング装置１００の、フランジ部材１１０と、連結部材１２０と、円筒ケーシング１３０と、サンプリングパイプ１４０、栓１６０及び栓ロッド部材１７０の各部材の材質は、ステンレススチール製である。なお、耐圧性及び耐腐食性に優れる材料であれば、ステンレススチール以外でも用いることができる。
【００４８】
次に、本発明の実施形態に係るサブサンプリング装置１００による試料２０からのサブサンプリング方法について説明する。
【００４９】
図１（ａ）に示すように、試料２０が入っている試料格納容器１０（ＧＥＯＴＥＫ社製）を用意する。試料２０が分解しないように、室温を２℃に設定する。また、試料格納容器１０に備えられたボールバルブ１４は閉められており、試料格納容器１０の内部圧力は６ＭＰａ、内部温度は２℃に保たれている。
【００５０】
試料格納容器１０にフランジ部材１１０を取りつける。そして、フランジ部材１１０の貫通孔１１４の雌ねじ（図示せず）に、連結部材１２０の前方雄ねじ部１２０ａを螺合させて、フランジ部材１１０に連結部材１２０を取りつける。そして、連結部材１２０の後方雄ねじ部１２０ｂに、円筒ケーシング１３０の前方端の雌ねじ（図示せず）を螺合させて、連結部材１２０に円筒ケーシング１３０を取りつける。この際、ボールバルブ１３４は閉状態としておく。そして、円筒ケーシング１３０の内部空間１３５に、サンプリングパイプ１４０を通す。この際、サンプリングパイプ１４０の先端にある採取刃１４４が、ボールバルブ１３４の手前に来るように位置調整する（図１（ａ））。その後、ボールバルブ１３４を開けて、第１の管路１１２に接続されたシリンジポンプ（圧力調整機構）を用いて、水圧によって、ボールバルブ１４の後方からフランジ部材１１０及び連結部材１２０の内部並びに円筒ケーシング１３０内部の前方空間１３６の圧力を、試料格納容器１０の内部圧力と同じ６ＭＰａに調整する。
【００５１】
試料格納容器１０のボールバルブ１４を開き、第１の管路１１２に接続されたシリンジポンプ（圧力調整機構）を用いて、水圧によって、円筒ケーシング１３０内部の前方空間１３６の圧力を６ＭＰａに保つ。圧力調整装置として、例えば、最大２００ｍＬ／ｍｉｎで流体を押し引き可能で、一定圧力制御が可能なＩＳＣＯ社のシリンジポンプ（ＩＳＣＯ  ５００Ｄ）を用いる。内部圧力を６ＭＰａに保つことで、試料２０の分解を防ぐことができる。
【００５２】
第２の管路１３２に接続されたシリンジポンプを用いて、水圧によって円筒ケーシング１３０内部の後方空間１３８の圧力を９ＭＰａまで上げる。こうすると、前方空間１３６と後方空間１３８との間に圧力差が生じるため、低い圧力（６ＭＰａ）の前方空間１３６の容積を減少させ、高い圧力（９ＭＰａ）の後方空間１３８の容積を増加させるように、サンプリングパイプ１４０に備えられたバルクヘッド１４２がサブサンプリング装置１００の前方方向に動く。この前方方向への動きを利用して、ハンドル１４６を操作して、サンプリングパイプ１４０をサブサンプリング装置１００の前方方向に回転させながら動かす（図１（ｂ））。
【００５３】
サンプリングパイプ１４０の先端に形成された採取刃１４４が、例えば固結した砂岩試料のように硬質の試料２０に接触すると、後方空間１３８の圧力が上昇する。後方空間１３８の圧力が上昇すると、第２の管路１３２に接続されたシリンジポンプの圧力計１３３の指示値が上昇する。この圧力計１３３の指示値の上昇により、採取刃１４４が試料２０に接触したことを確認することができる。採取刃１４４が、試料２０に接触したことを確認した後、ハンドル１４６に取りつけられた重り（図示せず）を用いてサンプリングパイプ１４０に軽く打撃を与え、採取刃１４４を試料２０に食い込ませる。なお、採取刃１４４は、ライナー３０で覆われていない試料２０の側面から水平方向に入り込む。採取刃１４４の内部に試料２０が入り込むと、後方空間１３８の容積が増加し、後方空間１３８の圧力が減少する。そして、再び、後方空間１３８の圧力が９ＭＰａになるように、第２の管路１３２に接続されたシリンジポンプによって加圧し、ハンドル１４６を操作してサンプリングパイプ１４０をサブサンプリング装置１００の前方方向に回転させながら動かす。これを繰り返して、試料２０をサンプリングパイプ１４０の先端部分に収容する。
【００５４】
試料２０の収容が完了したら、第２の管路１３２に接続されたシリンジポンプを用いて、後方空間１３８の圧力を３ＭＰａまで下げる。こうすると、前方空間１３６の容積を増加させ、後方空間１３８の容積を減少させるように、サンプリングパイプ１４０に備えられたバルクヘッド１４２がサブサンプリング装置１００の後方方向に動く。この後方方向への動きを利用して、ハンドル１４６を操作して、サンプリングパイプ１４０を後方方向に動かす（図１（ｂ））。サンプリングパイプ１４０の先端にある採取刃１４４が、ボールバルブ１３４の手前に来るように位置調整する。
【００５５】
その後、円筒ケーシング１３０のボールバルブ１３４及び格納容器１０のボールバルブ１４を閉じる。この際、円筒ケーシング１３０内部の前方空間１３６の圧力は依然として６ＭＰａに保たれているため、採取刃１４４内に収容されている試料２０の分解を防ぐことができる。
【００５６】
続いて、図７各図に示すように、サブサンプリングした試料２０を試料容器１５０に移す作業を行う。
【００５７】
図７（ａ）に示すように、フランジ部材１１０及び試料格納容器１０を、連結部材１２０から取り外し、連結部材１２０の前方雄ねじ部１２０ａに試料容器１５０の雌ねじ１５０ｃをねじ込むことで（図４（ｂ））、連結部材１２０に試料容器１５０を取りつける。そして、連結部材１２０の第３の管１２２に接続されたシリンジポンプを用いて、内部圧力を６ＭＰａまで上げて、６ＭＰａで一定に保つ。
【００５８】
次に、図７（ｂ）に示すように、ボールバルブ１３４を開ける。その後、第２の管路１３２に接続されたシリンジポンプを用いて、円筒ケーシング１３０内部の後方空間１３８の圧力を９ＭＰａまで上げて、前述同様に、サンプリングパイプ１４０を前方方向に動かす。サンプリングパイプ１４０の先端が連結部材１２０の先端近傍に到達したら、図７（ｃ）に示すように、押出しハンドル１４９を操作して、押出し部材１４８を前方方向に動かし、試料２０を試料容器１５０の内部に押し出す。試料容器１５０の内部に押し出された試料の大きさは、直径１５ｍｍ、長さ２０ｍｍである。その後、第２の管路１３２に接続されたシリンジポンプを用いて、後方空間１３８の圧力を３ＭＰａまで下げて、前述同様に、サンプリングパイプ１４０を後方方向に動かす。図７（ｄ）に示すように、サンプリングパイプ１４０の先端がボールバルブ１３４の後方に来るように引き戻した後、ボールバルブ１３４を閉じる。
【００５９】
次に、円筒ケーシング１３０内のサンプリングパイプ１４０を、栓ロッド部材１７０に取り替える。ボールバルブ１３４を閉じた状態で、円筒ケーシング１３０からサンプリングパイプ１４０を抜き取り、先端に栓１６０が差し込まれた栓ロッド部材１７０を、円筒ケーシング１３０内に挿入する。
【００６０】
連結部材１２０の第３の管１２２に接続されたシリンジポンプを用いて、試料容器１５０の内部圧力を６ＭＰａで一定に保ちながらボールバルブ１３４をゆっくり開けて、円筒ケーシング１３０内の前方空間１３６の圧力を６ＭＰａまで上げて、６ＭＰａで一定に保つ。第２の管路１３２に接続されたシリンジポンプを用いて、円筒ケーシング１３０内部の後方空間１３８の圧力を９ＭＰａまで上げて、図７（ｅ）に示すように、前述同様に、栓ロッド部材１７０を前方方向に動かす。栓ロッド部材１７０を時計回りに回転させて、図７（ｆ）に示すように、連結部材１２０の雌ねじ１２０ｄに、栓１６０の雄ねじ１６０ｂを差し込む（図６（ｂ））。こうすることで、栓１６０を連結部材１２０に固定させて、試料２０を試料容器１５０内に密閉することができる。その後、連結部材１２０から円筒ケーシング１３０及び栓ロッド部材１７０を取り外し、試料容器１５０への移動が完了する。図７（ｆ）の状態で、Ｘ線ＣＴ像の計測に供することができる。
【００６１】
なお、栓１６０は、前述の通り、栓本体１６０ａ内部において、側面細孔１６０ｄと前面細孔１６０ｅとが連通している（図５（ａ）、図７（ｆ））。図７（ｆ）に示すように、第３の管１２２に接続されたシリンジポンプを用いて、前面細孔１６０ｅ及び側面細孔１６０ｄを通じて、試料容器１５０内の圧力を一定に保つことができ、試料容器１５０内の試料２０の分解を防ぐことができる。
【００６２】
以上に述べたように、本発明の実施形態に係るサブサンプリング装置１００を用いることで、試料格納容器に格納されたガスハイドレート堆積物などの試料を、所定の圧力を維持したままサブサンプリングすることができる。このため、サブサンプリングの際の試料の分解を防ぐことができ、また、試料格納容器からサブサンプリングした試料を、所定の圧力を維持したまま分析用の容器に移動させて、試料の分解を防ぎつつ分析に供することができる。このため、ガスハイドレート堆積物の資源量やガスの生産性などを高精度に評価できるだけでなく、一般的な各種地層検層ツールとの比較から検層ツールでの資源量評価を高精度に行うことが可能となる。また、ＣＴ画像を輝度で分離することで、孔隙率やガスハイドレート飽和率（孔隙内を占めるガスハイドレートの割合）などを求めることができる。
【００６３】
また、本発明の実施形態に係るサブサンプリング装置１００を用いることで、ガスハイドレート堆積物の試料を凍結させることなく、サブサンプリング及び分析用の容器への移動を行うことができるため、砂の配置の変化が抑制され、砂の配置が地層内に存在した状態での分析が可能となる。また、砂質の堆積物試料のｉｎ  ｓｉｔｕ分析を行うこともできる。
【００６４】
さらに、本発明の実施形態に係るサブサンプリング装置１００を用いてガスハイドレート堆積物の試料をサブサンプリングして小片試料を作製することができるため、堆積物中のマイクロオーダーの微細な砂粒子の間隙に存在するガスハイドレートの状態を評価することができ、より精度の高い分析が可能となる。また、小片試料を作製できることから、分析用の容器のサイズを小さくすることができ、多様な分析が可能となる。
【００６５】
なお、この発明は上記実施の形態に限定されず、種々の変形及び応用が可能である。例えば、本実施形態においては、試料格納容器１０のボールバルブ１４を開き、円筒ケーシング１３０のボールバルブ１３４を閉じた状態で、第１の管路１１２に接続されたシリンジポンプ（圧力調整機構）を用いて内部を加圧する形態について説明したが、試料格納容器１０のボールバルブ１４及び円筒ケーシング１３０のボールバルブ１３４の両方を開いた状態で加圧してもよい。
【００６６】
また、本実施形態においては、前方空間１３６と後方空間１３８との間に３ＭＰａの圧力差を作り出してサンプリングパイプ１４０又は栓ロッド部材１７０を前方方向に動かす態様について説明したが、この圧力差は試料の状態、円筒ケーシング１３０の全長などに鑑み適宜変更することができる。また、圧力差ゼロに設定して、サンプリングパイプ１４０又は栓ロッド部材１７０を電動式モータ等によって機械的に前方方向に動かしてもよい。
【００６７】
また、本実施形態においては、サブサンプリングされた試料の大きさが直径１５ｍｍ、長さ２０ｍｍである形態について説明したが、試料の大きさは、試料容器１５０の容積、試料の分析方法などに鑑み、サンプリングパイプ１４０の先端部分の口径、サンプリングパイプ１４０の先端部分に入り込む試料の水平方向の長さなどを調節することで、適宜変更することができる。
【００６８】
また、本実施形態においては、材質がジュラルミンＡＡ２０２４であり、厚さが１．５ｍｍである試料容器１５０を用いた形態について説明したが、容器の材質及び厚さは、使用するＸ線ＣＴのＸ線強度や常用圧力によって変更することができる。
【００６９】
また、本実施形態においては、孔隙率を計測するためのＣＴ用の容器を用いた形態について説明したが、サファイアなどの光学窓が設置された容器を用いることにより、ラマン分光などで堆積物中のガスハイドレートを分析し、ガスハイドレートの籠に入っているゲスト分子の占有率計測などをｉｎ  ｓｉｔｕによる分析で行うことも可能である。
【００７０】
また、本実施形態においては、栓１６０により密閉する際には、サンプリングパイプ１４０を栓ロッド部材１７０に取り替えて行う形態について説明したが、サンプリングパイプ１４０の先端部分（採取刃１４４を含む）を、栓１６０をするための部材（例えば、六角孔１６０ｆに嵌め込み可能な先端形状を有する部材）に付け替えて用いてもよい。
【００７１】
また、本実施形態においては、圧力調整機構としてシリンジポンプを用いた形態について説明したが、水圧やガス圧を使用して圧力を維持できる圧力調整機構であれば適宜用いることができる。
【００７２】
また、本実施形態においては、室温２℃、前方空間１３６等の内部圧力６ＭＰａ、サンプリングパイプ１４０又は栓ロッド部材１７０を前方方向に動かす際の後方空間１３８の圧力を９ＭＰａとしてサブサンプリングを行う形態について説明したが、試料の分解を防ぐことのできる範囲での温度及び圧力設定が可能である。
【００７３】
また、サブサンプリング装置１００内部の圧力が過剰に高まると試料の破砕が懸念される。そのため、過剰圧力が試料に載荷されないように、例えば第２の管路１３２にリリーフ弁を取りつけてもよい。
【００７４】
また、本実施形態においては、公知のＧＥＯＴＥＫ社の試料格納容器を用いた形態について説明したが、試料を適切に保管し得る試料格納容器であれば、各種の試料格納容器を用いることができる。また、フランジ部材１１０の貫通孔１１４の口径は、試料格納容器の種類によって適宜変えられる。
【００７５】
また、本実施形態においては、ハンドル１４６を操作することで手動によりサンプリングパイプ１４０を作動させる形態について説明したが、サンプリングパイプ１４０は電動式モータなどによって作動されてもよい。
【００７６】
また、本実施形態においては、第２の管路１３２に接続されたシリンジポンプの圧力計１３３の指示値の上昇により、採取刃１４４が試料２０に接触したことを確認する形態について説明したが、この確認は、サンプリングパイプ１４０が前方方向にどの程度押し込まれたかを計測することで行ってもよい。また、前述の通り、電動式モータでサンプリングパイプ１４０を作動させる場合には、モータへの負荷値などを計測することで接触を確認してもよい。
【００７７】
また、本実施形態においては、ねじ込み式の栓１６０を用いて試料容器１５０内に試料２０を密閉する形態について説明したが、栓を試料容器１５０に熱圧着などして密閉してもよい。
【実施例】
【００７８】
模擬ガスハイドレート堆積物の試料を、試料格納容器からサブサンプリングして分析用の試料容器に移した。【００７９】
前述の通り（図１−図７）、試料格納容器１０から試料２０をサブサンプリングし、試料容器１５０に移動させた。ただし、室温５℃、前方空間１３６、試料容器１５０等の内部圧力を３ＭＰａ、サンプリングパイプ１４０又は栓ロッド部材１７０を前方方向に動かす際の後方空間１３８の圧力を６ＭＰａ、後方方向に動かす際の後方空間１３８の圧力を２ＭＰａとして、一連のサブサンプリングの操作を行った。【００８０】
模擬ガスハイドレート堆積物として、ガス浸透法によって、三河珪砂６号１６０ｇと水４０ｇとを混合撹拌した含水砂を人工的に作製し、試料２０とした。試料格納容器１０（ＧＥＯＴＥＫ社製）のボールバルブ１４を開き、かつ円筒ケーシング１３０のボールバルブ１３４を開いた状態で第１の管路１１２からキセノンガスを入れて２４時間放置して、試料格納容器１０内にて試料２０を生成させた。本実施例においてキセノンガスを用いたのは、キセノンはＸ線吸収係数が高くＸ線ＣＴによる観察を行った際にガスハイドレートの造影剤としての役割を果たすためである。【００８１】
実施例１にてサブサンプリングした試料のＸ線ＣＴ像を計測した。図８（ａ）に、２次元の断面ＣＴ像を示す。圧力を維持したままガスハイドレートを分解させずにサブサンプリングしたため、ガスハイドレート（図８（ａ）中の白色領域）が孔隙内に存在していることが確認された。また、図８（ｂ）は、図８（ａ）の黒枠内を拡大したもので、図８（ｃ）は、図８（ｂ）を輝度の違いで色分けしたものである。図８（ｃ）中のＳは使用した三河珪砂６号の砂粒子、Ｈはガスハイドレート、Ｗは水を表す。図８（ｃ）より、サブサンプリングしたガスハイドレート堆積物の孔隙率が３９．１％、ガスハイドレート飽和率が８５．１％と求めることができた。【００８２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。【００８３】
本出願は、２０１３年１２月９日に出願された、日本国特許出願２０１３−２５４５０５号に基づく。本明細書中に日本国特許出願２０１３−２５４５０５号の明細書、特許請求の範囲、図面全体を参照として取り込むものとする。
【産業上の利用可能性】
【００８４】
本発明の実施形態に係るサブサンプリング装置１００によれば、資源量やガスの生産性などの高精度な評価が可能となる。その結果、最適なガスハイドレート貯留層の選定、ガスハイドレート層からの高効率なガス生産などが可能となり、天然ガス生産コストを大きく低減することができる。またガスハイドレート堆積層に最適な検層ツールの開発を行うことが可能となる。
【符号の説明】
【００８５】
１０  試料格納容器
１１  収容空間
１４  ボールバルブ
２０  試料
３０  ライナー
１００  サブサンプリング装置
１１０  フランジ部材
１１２  第１の管路
１１４  貫通孔
１２０  連結部材
１２０ａ  前方雄ねじ部
１２０ｂ  後方雄ねじ部
１２０ｃ  空洞
１２０ｄ  雌ねじ
１２０ｅ  中央フランジ
１２２  第３の管
１３０  円筒ケーシング
１３２  第２の管路
１３３  圧力計
１３４  ボールバルブ
１３５  内部空間
１３６  前方空間
１３８  後方空間
１４０  サンプリングパイプ
１４２  バルクヘッド
１４４  採取刃
１４６  ハンドル
１４７  軸部材
１４８  押出し部材
１４９  押出しハンドル
１５０  試料容器
１５０ａ  保管部
１５０ｂ  連結部
１５０ｃ  雌ねじ
１６０  栓
１６０ａ  栓本体
１６０ｂ  雄ねじ
１６０ｃ  ロッド連結部
１６０ｄ  側面細孔
１６０ｅ  前面細孔
１６０ｆ  六角孔
１７０  栓ロッド部材
【図１】
2015087767.tif 000003
【図２】
2015087767.tif 000004
【図３】
2015087767.tif 000005
【図４】
2015087767.tif 000006
【図５】
2015087767.tif 000007
【図６】
2015087767.tif 000008
【図７】
2015087767.tif 000009
【図８】
2015087767.tif 000010
【国際調査報告】
2015087767.tif 000011
2015087767.tif 000012
2015087767.tif 000013
2015087767.tif 000014